【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
コリドールの一部分を隔離するためのフランジが、
第２の面に対向する第１の面と、
該フランジを貫通する再閉鎖可能な開口と、
第１の縁と、
該第１の縁の下方の第２の縁と、
該第１と第２の縁との間に延在する第３の縁と、
該第３の縁に対向し、該第１と第２の縁との間に延在する第４の縁と、
前記縁の１つに隣接し、前記第１の面の上の第１のファスナーと、
該第２の縁に隣接する第２のファスナーと、
該第３の縁に隣接する第３のファスナーと、
該第４の縁に隣接する第４のファスナーと、
該フランジの第１の面に結合され、該第１のファスナーの上に延在する第１のフラップと、
該フランジの第１の面に結合され、該第２のファスナーの上に延在する第２のフラップと、
該フランジの第１の面に結合され、該第３のファスナーの上に延在する第３のフラップと、
該フランジの第１の面に結合され、該第４のファスナーの上に延在する第４のフラップと、及び
該第１の縁まで延在している一部分とを備えていて、前記部分が、該第３の縁から該第４の縁まで延在している折り重ね部分を備えているフランジ。
【請求項２】
真空源を受け入れるための、該フランジを通る開口を更に備えている請求項１に記載のフランジ。
【請求項３】
高性能（ＨＥＰＡ）フィルター空気装置に結合された導管を受け入れるための、該フランジを通る開口を更に備えている請求項１又は２に記載のフランジ。
【請求項４】
該フランジに結合されたジッパーを備えていて、該ジッパーは、環境封じ込みユニットとチャック締めにより結合するための少なくとも一部の開口を囲んでいる請求項１〜３のいずれか一項に記載のフランジ。
【請求項５】
前記ジッパーが、該環境封じ込みユニット内の開口の回りに前記フランジをチャック締めするためのものであるところの請求項４に記載のフランジ。
【請求項６】
該フランジに結合し、環境封じ込みユニットと結合するための少なくとも一部の開口を囲んでいる手段を更に備えている請求項１〜５のいずれか一項に記載のフランジ。
【請求項７】
該フランジの該部分に結合したひもと、
該フランジに取り付けられた帯片であって、該ひもが、該帯片と該フランジとの間に狭持されているところの該帯片と、及び
該ひもに沿って該フランジを押すための、該ひもに沿って摺動可能な部材と、
を更に備えている請求項１〜６のいずれか一項に記載のフランジ。
【請求項８】
該フランジの第２の面に結合された第５のフラップであって、前記第１のファスナーが、前記第１と第５のフラップの間に配置されているところの該第５のフラップと、
該フランジの第２の面に結合された第６のフラップであって、前記第２のファスナーが、前記第２と第６のフラップの間に配置されているところの該第６のフラップと、
該フランジの第２の面に結合された第７のフラップであって、前記第３のファスナーが、前記第３と第７のフラップの間に配置されているところの該第７のフラップと、及び
該フランジの第２の面に結合された第８のフラップであって、前記第４のファスナーが、前記第４と第８のフラップの間に配置されているところの該第８のフラップと、
を更に備えている請求項１〜７のいずれか一項に記載のフランジ。
【請求項９】
各々のファスナーが、接着剤であるところの請求項８に記載のフランジ。
【請求項１０】
該第１のファスナーに隣接する第５のファスナーと、
該第５のファスナーで留めるための、該第１のファスナーに隣接する第６のファスナーと、
該第２のファスナーに隣接する第７のファスナーと、及び
該第７のファスナーで留めるための、該第２のファスナーに隣接する第８のファスナーと、
を更に備えている請求項８又は９に記載のフランジ。
【請求項１１】
該第３のファスナーに隣接する第９のファスナーと、
該第９のファスナーで留めるための、該第３のファスナーに隣接する第１０のファスナーと、
該第４のファスナーに隣接する第１１のファスナーと、及び
該第１１のファスナーで留めるための、該第４のファスナーに隣接する第１２のファスナーと、
を更に備えている請求項８，９又は１０に記載のフランジ。
【請求項１２】
該第１のファスナーが、前記第１の面の上のベルクロ（登録商標）の第１の帯片であり、該第２のファスナーが、前記第１の面の上のベルクロ（登録商標）の第２の帯片であり、該第３のファスナーが、前記第１の面の上のベルクロ（登録商標）の第３の帯片であり、また該第４のファスナーが、前記第１の面の上のベルクロ（登録商標）の第４の帯片であるところの請求項１〜１１のいずれか一項に記載のフランジ。
【請求項１３】
該フランジの第２の面に結合された第５のフラップであって、前記ベルクロ（登録商標）の第１の帯片が、前記第１と第５のフラップの間に配置されているところの該第５のフラップと、
該フランジの第２の面に結合された第６のフラップであって、前記ベルクロ（登録商標）の第２の帯片が、前記第２と第６のフラップの間に配置されているところの該第６のフラップと、
該フランジの第２の面に結合された第７のフラップであって、前記ベルクロ（登録商標）の第３の帯片が、前記第３と第７のフラップの間に配置されているところの該第７のフラップと、及び
該フランジの第２の面に結合された第８のフラップであって、前記ベルクロ（登録商標）の第４の帯片が、前記第４と第８のフラップ間に配置されているところの該第８のフラップと、
を更に備えている請求項１〜７のいずれか一項に記載のフランジ。
【請求項１４】
該ベルクロ（登録商標）の第１の帯片に隣接するベルクロ（登録商標）の第５の帯片と、
該ベルクロ（登録商標）の第５の帯片と結合するための、該ベルクロ（登録商標）の第１の帯片に隣接するベルクロ（登録商標）の第６の帯片と、
該ベルクロ（登録商標）の第２の帯片に隣接するベルクロ（登録商標）の第７の帯片と、及び
該ベルクロ（登録商標）の第７の帯片と結合するための、該ベルクロ（登録商標）の第２の帯片に隣接するベルクロ（登録商標）の第８の帯片と、
を更に備えている請求項１３に記載のフランジ。
【請求項１５】
該ベルクロ（登録商標）の第３の帯片に隣接するベルクロ（登録商標）の第９の帯片と、
該ベルクロ（登録商標）の第９の帯片と結合するための、該ベルクロ（登録商標）の第３の帯片に隣接するベルクロ（登録商標）の第１０の帯片と、
該ベルクロ（登録商標）の第４の帯片に隣接するベルクロ（登録商標）の第１１の帯片と、及び
該ベルクロ（登録商標）の第１１の帯片と結合するための、該ベルクロ（登録商標）の第４の帯片に隣接するベルクロ（登録商標）の第１２の帯片と、
を更に備えている請求項１４に記載のフランジ。
【請求項１６】
該フランジが、
第１のパネルと、
該第１のパネルから延在する第２のパネルと、
該第２のパネルに対向する該第１のパネルから延在する第３のパネルと、
該第１のパネルから延在し、該第２と第３のパネル間にある第４のパネルと、及び
該第４のパネルに対向する該第１のパネルから延在し、該第２と第３のパネル間にある第５のパネルであって、該第１のファスナーが該第２のパネルの上に貼り付けられ、該第２のファスナーが該第３のパネルの上に貼り付けられ、該第３のファスナーが該第４のパネルの上に貼り付けられ、かつ該第４のファスナーが該第５のパネルの上に貼り付けられているところの該第５のパネルと、
を更に備えているところの請求項１〜１５のいずれか一項に記載のフランジ。
【請求項１７】
コリドールの一部分を隔離するためのフランジが、
第２の面に対向する第１の面を備えている本体と、
該フランジを貫通する、該本体を通って形成された再閉鎖可能な開口と、
第１の縁と、
該第１の縁に対向する第２の縁と、
該第１と第２の縁の間に延在する第３の縁と、
該第３の縁に対向し、該第１と第２の縁との間に延在する第４の縁と、
該フランジの第１の面に結合され、該第１の縁の上に延在する第１のフラップと、
該フランジの第１の面に結合され、該第２の縁の上に延在する第２のフラップと、
該フランジの第１の面に結合され、該第３の縁の上に延在する第３のフラップと、及び
該フランジの第１の面に結合され、該第４の縁の上に延在する第４のフラップと、
を備えているフランジ。
【請求項１８】
該フランジの第２の面に結合された第５のフラップであって、前記第１の縁が、前記第１と第５のフラップの間に配置されているところの該第５のフラップと、
該フランジの第２の面に結合された第６のフラップであって、前記第２の縁が、前記第２と第６のフラップの間に配置されているところの該第６のフラップと、
該フランジの第２の面に結合された第７のフラップであって、前記第３の縁が、前記第３と第７のフラップの間に配置されているところの該第７のフラップと、及び
該フランジの第２の面に結合された第８のフラップであって、前記第４の縁が、前記第４と第８のフラップの間に配置されているところの該第８のフラップと、
を更に備えている請求項１７に記載のフランジ。
【請求項１９】
コリドールの一部分を隔離するためのフランジが、
第２の面に対向する第１の面を備えている本体と、
該フランジを貫通する、該本体を通って形成された再閉鎖可能な開口と、
該本体を囲んでいる周囲の縁と、
該周囲の縁に沿うファスナーと、及び
該フランジの第１の面に結合され、該ファスナーの上に延在する第１のフラップと、
を備えているフランジ。
【請求項２０】
該第２の面に結合された第２のフラップであって、前記ファスナーが、前記第１と第２のフラップの間に配置されているところの該第２のフラップを更に備えている請求項１９に記載のフランジ。
【請求項２１】
前記ファスナーが接着剤であるところの請求項１９又は２０に記載のフランジ。
【請求項２２】
前記ファスナーが、前記周囲の縁に沿って延在するベルクロ（登録商標）の帯片であるところの請求項１９，２０又は２１に記載のフランジ。
【請求項２３】
該コリドールに留めるための、前記第１の縁に隣接する第１のファスナーと、
該コリドールに留めるための、前記第２の縁に隣接する第２のファスナーと、
該コリドールに留めるための、前記第３の縁に隣接する第３のファスナーと、
該コリドールに留めるための、前記第４の縁に隣接する第４のファスナーと、
を更に備えていて、
前記第１のフラップは前記第１のファスナーに留めることができ、
前記第２のフラップは前記第２のファスナーに留めることができ、
前記第３のフラップは前記第３のファスナーに留めることができ、また
前記第４のフラップは前記第４のファスナーに留めることができるようになっており、かつ
前記第１の縁に延在する一部分が、前記第３の縁から前記第４の縁まで延在し、前記第２の縁に対して前記第１の縁を移動することによって、前記フランジの膨張を許容する折り重ね部分を備えている請求項１７又は１８に記載のフランジ。